(57)【要約】【課題】本発明は、鉄骨建築の床及び屋根に用いる大梁，小梁の極めて軽量とした梁材を提供する。【解決手段】全体を比較的薄い鋼板材からなる横長形状とし、断面が上部空間部（Ｐ），中央垂直板部（Ｑ），下部空間部（Ｒ）とからなり、上部空間部（Ｐ）は、屋根材を貼る頂面を底（１）とする逆二等辺三角辺（１１）に折り曲げて横方向に三角柱状の空間（ｐ）を形成し、下部空間部（Ｒ）は、下底を底（２）とする二等辺三角辺（２２）に折り曲げて横方向に三角柱状の空間（ｒ）を形成し、夫々の三角形の辺面には凹陥リブ（６）を形成し、中央垂直板部（Ｑ）の梁板（ｑ）の板面には、任意等間隔に任意の大きさの穴（３）を複数穿設すると共に、上部空間部（Ｐ）と下部空間部（Ｒ）の、二等辺三角形に折り曲げる底角を弯曲折り曲げ部（１’），（２’）とし、上部空間部（Ｐ），下部空間部（Ｒ）には、夫々必要に応じてコンクリート（４）を充填し、下部空間部（Ｒ）には、ピアノ線（５）を張架することを特徴とした。【選択図】          図１
2006200332.tif 000002
【特許請求の範囲】
【請求項１】
全体を比較的薄い鋼板材からなる横長形状とし、断面が上部空間部（Ｐ），中央垂直板部（Ｑ），下部空間部（Ｒ）とからなり、上部空間部（Ｐ）は、頂面を底（１）とする逆二等辺三角辺（１１）に折り曲げて横方向に三角柱状の空間（ｐ）を形成し、下部空間部（Ｒ）は、下底を底（２）とする二等辺三角辺（２２）に折り曲げて横方向に三角柱状の空間（ｒ）を形成し、中央垂直板部（Ｑ）は、梁板（ｑ）を形成し、上部空間部（Ｐ）と下部空間部（Ｒ）の、二等辺三角形に折り曲げる底角を弯曲折り曲げ部（１’），（２’）としたことを特徴とした鉄骨建築の床及び屋根の梁材。
【請求項２】
上部空間部（Ｐ）若しくは上部空間部（Ｐ）及び下部空間部（Ｒ）にコンクリート（４）を充填してなる請求項１記載の鉄骨建築の床及び屋根の梁材。
【請求項３】
上部空間部（Ｐ）及び下部空間部（Ｒ）の三角各辺面に任意等間隔に複数の凹陥リブ部（６）を設けてなる請求項１記載の鉄骨建築の床及び屋根の梁材。
【請求項４】
下部空間部（Ｒ）のコンクリート内に、ピアノ線（５）を挿通張架してなる請求項１記載の鉄骨建築の床及び屋根の梁材。
【請求項５】
梁板となる中央垂直板部（Ｑ）の梁板（ｑ）の板面に、任意等間隔に任意の大きさの穴（３）を複数穿設ししてなる請求項１記載の鉄骨建築の床及び屋根の梁材。
【発明の詳細な説明】
【技術分野】
【０００１】  本発明は、鉄骨建築の床及び屋根に用いる大梁，小梁の梁材に関する。
【背景技術】
【０００２】  鉄骨建築の床及び屋根に用いる大梁，小梁の梁材は、従来は、英字のアルファベットＨ形状を横置き断面とした長尺の所謂Ｈ形鋼が用いられている現状がある。【０００３】  これは、図３に示しすように、断面幅寸法（Ｂ）とした上部部材（ａ）と下部部材（ｂ）の水平長尺部材の間に長尺板部材（ｈ）を断面垂直に形成して断面高さ寸法（Ｈ）として規格化したもので、梁材として大梁，小梁を構成する時は、長尺板部材（ｈ）の断面垂直部の垂直軸方向に荷重を受ける様に配設施工するものである。
【発明の開示】
【発明が解決しようとする課題】
【０００４】  上述の梁材に用いる従来のＨ形鋼は、上部部材（ａ），下部部材（ｂ），長尺板部材（ｈ）共に、剛性強度を保つために、規格ごとにそれなりの厚みを必要とすることから、全体がかなりの重量となり、屋根の大梁，小梁とするときは、屋根材を含めて相当の重量物となり、建築構造上屋根部の重量負担が大きく施工上の問題点となっている。
【課題を解決するための手段】
【０００５】  本発明は、全体を比較的薄い鋼板材からなる横長形状とし、断面が上部空間部（Ｐ），中央垂直板部（Ｑ），下部空間部（Ｒ）とからなり、上部空間部（Ｐ）は、屋根材を貼る頂面を底（１）とする逆二等辺三角辺（１１）に折り曲げて横方向に三角柱状の空間（ｐ）を形成し、下部空間部（Ｒ）は、下底を底（２）とする二等辺三角辺（２２）に折り曲げて横方向に三角柱状の空間（ｒ）を形成し、中央垂直板部（Ｑ）は、梁板（ｑ）を形成し、上部空間部（Ｐ）と下部空間部（Ｒ）の、二等辺三角形に折り曲げる底角を弯曲折り曲げ部（１’），（２’）とした。【０００６】  上部空間部（Ｐ），下部空間部（Ｒ）には、夫々必要に応じてコンクリート（４）を充填するものとし、この場合は、上下夫々の三角形の辺面に凹陥リブ（６）を形成して、コンクリートと辺面のなじみを良くし一体化せしめる。【０００７】  下部空間部（Ｒ）にコンクリート（４）を充填するときは、ピアノ線（５）を内挿張架して荷重を受けた場合の引張り応力に対応せしめる。【０００８】  屋根梁として、中央垂直板部（Ｑ）の梁板（ｑ）の板面には、任意等間隔に任意の大きさの穴（３）を複数穿設する。
【発明の効果】
【０００９】  本発明は、屋根等の梁材を、全体を比較的薄い鋼板材で構成し、上部と下部に空間部を設けたので、かなりの重量物となって問題視されていた従来のＨ形鋼に比べ、屋根重量を極めて軽量化が出来ると共に、鉄板加工が出来る効果がある。【００１０】  構成は、上部空間部（Ｐ）と下部空間部（Ｒ）を互いに対向させた三点支持の二等辺三角形状としたので、強固なトラス組みの剛性が付与されると共に、三角形底角の弯曲折り曲げ部（１’），（２’）が荷重による上部空間部の撓みを跳ね返す作用をして剛性を増す効果がある。【００１１】  上部空間部（Ｐ）の逆の二等辺三角辺（１１）形状は重量荷重を中央垂直板部（Ｑ）の梁板（ｑ）に集中させることになり、下部空間部（Ｒ）に支持された梁板（ｑ）は、かなりの荷重を強固に支持出来る効果がある。【００１２】  上部空間部（Ｐ）にコンクリート（４）を充填するときは、圧縮に強いコンクリートが上部空間部（Ｐ）にかかる屋根荷重の圧縮荷重を十分に支え、更に、引張り荷重を受けることになり伸長されようとする下部空間部（Ｒ）は、張架するピアノ線（５）によって縮引されて梁板を均衡し、梁材として全体の剛性をつ効果がある。【００１３】  特に中央垂直板部に多数の穴（３）を設ける場合は、鋼材の使用量がかなり軽減され、資源が保護されて、地球環境にやさしい施工となり、屋根の場合は、トップライトの明りが室内に取り入れられ拡散されて照明電力を低減する効果もある。
【発明を実施するための最良の形態】
【００１４】  本発明は、全体を比較的薄い鋼板材からなる横長形状とし、断面が上部空間部（Ｐ），中央垂直板部（Ｑ），下部空間部（Ｒ）とからなり、上部空間部（Ｐ）は、屋根材を貼る頂面を底（１）とする逆二等辺三角辺（１１）に折り曲げて横方向に三角柱状の空間（ｐ）を形成し、下部空間部（Ｒ）は、下底を底（２）とする二等辺三角辺（２２）に折り曲げて横方向に三角柱状の空間（ｒ）を形成し、夫々の三角形の辺面には凹陥リブ（６）を形成し、中央垂直板部（Ｑ）の梁板（ｑ）の板面には、任意等間隔に任意の大きさの穴（３）を複数穿設し、上部空間部（Ｐ）と下部空間部（Ｒ）の、二等辺三角形に折り曲げる底角を弯曲折り曲げ部（１’），（２’）とした。【００１５】  又、必要に応じて、上部空間部（Ｐ）若しくは上部空間部（Ｐ）及び下部空間部（Ｒ）にコンクリート（４）を充填し、下部空間部（Ｒ）のコンクリート（４）内にピアノ線（５）を張架する。【００１６】  本発明は、屋根等の梁材を、全体を鉄板加工の出来る比較的薄い鋼板材で構成し、上部と下部に空間部を設けたので、かなりの重量物となって問題視されていた従来のＨ形鋼に比べ、屋根重量を極めて軽量化が出来る上、鉄板加工で加工し易く、ロール成型が可能である。【００１７】  構造的には、上部空間部（Ｐ）と下部空間部（Ｒ）を互いに対向させた三点支持の二等辺三角形状のトラス組みであることから、強固な剛性が付与され、更に、上下の三角形の底角を弯曲折り曲げ部（１’），（２’）としたので、上部空間部（Ｐ）にかかる荷重の撓みを反発する作用をして梁材の剛性を増す。【００１８】  三角頂点が屋根等の重量荷重を中央垂直板部（Ｑ）の梁板（ｑ）集中させることにより、かなりの荷重を強固に支持出来て剛性を持たせることが出来る。【００１９】  上部空間部（Ｐ）にコンクリートを充填するときは、辺面に形成した凹陥リブ（６）がコンクリートを保持して板面と一体化し、鉄とコンクリートとの複合鋼材となり強度を強める上、圧縮に強いコンクリートが上部空間部（Ｐ）にかかる屋根荷重の圧縮荷重を十分に支え、更に、引張り荷重を受けることになり伸長されようとする下部空間部（Ｒ）は、張架するピアノ線（５）によって縮引されて均衡を保つ。【００２０】  特に中央垂直板部の梁部（ｑ）に、多数の穴を設けたことにより、軽量化に上、鋼材の使用量がかなり軽減され、資源が保護されて、地球環境にやさしい施工となると共に、見栄えがよく、屋根の大梁，小梁の場合は、トップライトの明りが室内に取り入れられ拡散されて照明電力を低減する効果がある。
【産業上の利用の可能性】
【００２１】  本発明は、鉄骨建築の床及び屋根の軽量梁材として効果的に用いるものであるが、建築用鉄骨材として、その他、活用する範囲は、大きい。
【図面の簡単な説明】
【００２２】
【図１】  本発明に係る梁材の断面斜視図である。
【図２】  本発明に係る梁材の実施例の断面斜視図である。
【図３】  従来のＨ形鋼の断面図である。
【符号の説明】
【００２３】        １  底
１１  逆二等辺三角辺
２  底
２２  二等辺三角辺
１’，２’  弯曲折り曲げ部
３  穴
４  コンクリート
５  ピアノ線
６  凹陥リブ
Ｐ  上部空間部
Ｑ  中央垂直板部
Ｒ  下部空間部
ｐ  空間
ｑ  梁板
ｒ  空間
【図１】
2006200332.tif 000003
【図２】
2006200332.tif 000004
【図３】
2006200332.tif 000005